(57)【要約】【課題】よけいな手間やユーザー操作の必要がなく、自動車の走行環境状況に応じた楽曲を自動的に選曲してリスト化し、自動的に再生する。【解決手段】走行環境情報を受信あるいは検出して走行環境データを取得する。また、予め走行環境情報ごとに複数のキーワードを設定する。そして、この走行環境データに基づき、複数のキーワードの出現回数を計測して、出現回数の多いキーワード順に重み付けを行なう。また、予め再生可能な各楽曲に付随した複数の楽曲データを取得する。この取得した楽曲データに対して、検索優先順位付けを行い、検索優先順位の上位の楽曲データから順番に、楽曲データ内の情報内容とキーワードとをキーワードの重み付けに従って比較し、１以上のキーワードが一致する楽曲を自動的に検索し、この検索した楽曲から順にリスト化する。このリストの上位の楽曲から順次、自動的に再生する。【選択図】図１
2009266302.tif 000002
【特許請求の範囲】
【請求項１】
複数の走行環境情報を受信あるいは検出して取得する走行環境情報取得手段と、
前記走行環境情報ごとに複数のキーワードを予め設定するキーワード設定手段と、
前記走行環境情報取得手段で取得した走行環境情報ごとに対応する前記キーワードの出現回数を計測して出現回数の多いキーワード順に重み付けを行なうキーワード重み付け手段と、
前記走行環境情報取得手段で取得した走行環境情報に対応する複数の音声および／または文字データを取得するデータ取得手段と、
前記取得した音声および／または文字データに対して、再生の優先順位付けを行なう再生優先順位付け手段と、
を備え、
前記データ取得手段で取得した音声および／または文字データ内の情報内容と前記キーワード重み付けに従って比較して、少なくとも１以上の前記キーワードが一致する音声および／または文字データを自動的に検索し、当該検索された音声および／または文字データから自動的に再生する
ことを特徴とする車載用再生装置。
【請求項２】
前記走行環境情報取得手段により取得した複数の走行環境情報は、少なくとも、温度、標高、日付、天候、時間の各情報であり、前記走行環境情報取得手段は、前記走行環境情報の現在の状況を認識するための情報の一部を通信手段により得る
ことを特徴とする請求項１記載の車載用再生装置。
【請求項３】
前記データ取得手段により取得した音声および／または文字データは、少なくとも、楽曲の説明、楽曲タイトル、アルバム名、アーティスト名、作曲者、作詞者、発売日の各データであり、前記音声および／または文字データの一部を通信手段により得る
ことを特徴とする請求項１記載の車載用再生装置。
【請求項４】
前記音声および／または文字データは、そのデータ内に前記キーワードと比較対象となる情報が存在しない場合は、前記キーワードとの比較を行なわないように構成した
ことを特徴とする請求項１記載の車載用再生装置。
【請求項５】
前記再生優先順位付け手段は、一度リストに入った前記音声および／または文字データと前記キーワードとの比較を行なわず、同じ楽曲をリストに追加しないように構成した
ことを特徴とする請求項１記載の車載用オーディオ装置。
【請求項６】
前記再生優先順位付け手段は、順番に再生優先順位の上位の前記音声および／または文字データから重み付けに従って前記キーワードを検索し、リスト化する
ことを特徴とする請求項１記載の車載用再生装置。
【請求項７】
複数の走行環境情報を受信あるいは検出して取得する走行環境情報取得ステップと、
前記走行環境情報ごとに複数のキーワードを予め設定するキーワード設定ステップと、
前記取得した走行環境情報ごとに対応する前記キーワードの出現回数を計測して出現回数の多いキーワード順に重み付けを行なうキーワード重み付けステップと、
前記取得した走行環境情報に対応する複数の音声および／または文字データを取得するデータ取得ステップと、
前記取得した音声および／または文字データに対して、再生の優先順位付けを行なう再生優先順位付けステップとからなり、
前記取得した音声および／または文字データ内の情報内容と前記キーワード重み付けに従って比較して、少なくとも１以上の前記キーワードが一致する音声および／または文字データを自動的に検索し、当該検索された音声および／または文字データから自動的に再生する
ことを特徴とする車載用再生方法。
【発明の詳細な説明】
【技術分野】
【０００１】
本発明は、自動車において受信あるいは検出可能な走行環境情報と、楽曲に付随した楽曲データとを利用して、自車および自車の周辺の状況に応じて、再生する楽曲を自動的に検索してリスト化し、そのリスト化した楽曲を自動的に再生することができる車載用再生装置および車載用再生方法に関する。
【背景技術】
【０００２】
自動車の運転者が車載用再生装置により音源のオーディオ信号を再生しながら、運転することは日常的なこととして行なわれている。その音源としては、ＣＤやＤＶＤ、カーラジオ（地上波デジタル放送、アナログ放送）であったり、ＭＰ３等であったりする。
【０００３】
さらに、音源のオーディオ信号を再生する場合に、ハードディスクドライブを搭載したカーナビゲーション装置も使用されている。
【０００４】
このカーナビゲーション装置は、ＣＤ再生手段を備えていて、音楽の再生を開始すると、自動的に再生中の曲をハードディスクに記録し、音楽ライブラリを作成できるように構成されている。このとき、予めハードディスクに記録されている市販のＣＤに関する情報（アルバム名、アーティスト名、曲名等）からハードディスクに記録する曲に該当する楽曲データを取得し、記録する曲データと対応させてハードディスクへ記録する。また、ハードディスクにＣＤに関する情報が記録されていない楽曲に対しては、携帯電話等を使用して、インターネットに接続されている所定のサーバーのデータベースへアクセスし、必要な楽曲データを取得するように構成されている。また、ナビゲーションに通信部を有している場合もある。
【０００５】
これらの付加情報は、運転者等（以下、ユーザーという）がハードディスクに記録された複数の楽曲から所望の楽曲を選択する場合に使用される。例えば、アーティスト別、ジャンル別等に分類されているリストが液晶表示パネルに表示され、ユーザーの選曲を容易にしている。
【０００６】
ところで、楽曲を再生する場合には、自動車の走行環境に応じてその楽曲のジャンル等を選ぶことが多い。つまり、外気温度や、晴れや雨等の天候や、さらには、昼夜といった環境や、車内のエアコンによる温度といった走行環境に応じて複数の音楽から所望の曲を選んだりすることが多い。
【０００７】
このように、自動車の走行環境に応じて、ユーザーの好みに合致する楽曲を自動的に選択して再生する方法としては、例えば、楽曲再生時の自動車の走行環境からキーワードを抽出し、手動あるいは自動で、予め対応付けされていたキーワードと一致する楽曲を再生する方法が提案されている（例えば、特許文献１参照）。
【０００８】
【特許文献１】特開２００５−５０５４８号公報
【発明の開示】
【発明が解決しようとする課題】
【０００９】
上記特許文献１の再生装置にあっては、走行環境データを受信後、キーワードを設定する方法を採用しているが、例えば、買ったばかりのＣＤを初めて聴くときなど、楽曲が一度も再生されたことがない場合は、実際に選曲対象となる楽曲に、キーワードが設定されていないため、この楽曲に対しては、自動選曲を行なうことができない。よって、自動選曲時には、予めキーワードが設定されている必要がある。そのキーワード設定には、実際に楽曲を聴きながら自動車を走行することでキーワードを取得するか、あるいは、ユーザーによって、手動でキーワードを入力する必要があり、キーワードを取得するために、大きな手間を必要とする。
【００１０】
また、上記特許文献１には、携帯電話を介して、インターネットに接続されているサーバーから楽曲に関する付加情報の楽曲タイトル、曲の説明、アーティスト名、作詞者、作曲者、発売日などのデータを取得して、楽曲データと対応付けるか、またはＣＤから読み込まれたＴＯＣ（Ｔａｂｌｅ  ｏｆ  ｃｏｎｔｅｎｔｓ）情報から曲特定情報を取得して用いると記載されているが、具体的にどのようにして検索を行うのかが明確に開示されていない。
【００１１】
例えば、図７に示すように、走行環境データから抽出したキーワード「Ａ」に対して、選曲対象のアーティスト名「Ａ」やアルバムタイトル「Ａ」、あるいは楽曲タイトル「Ａ」などが一致した場合に、「どれを優先して選曲するのか」などが明確でないため、選曲情報が競合し、望ましい選曲結果を得ることができないという問題点がある。
【００１２】
本発明は、このような従来の構成が有していた問題を解決しようとするものであり、その目的は、よけいな手間やユーザー操作の必要がなく、自動車の走行環境状況に応じた楽曲を自動的に選曲してリスト化し、自動的に再生することができる車載用再生装置および車載用再生方法を提供することにある。
【課題を解決するための手段】
【００１３】
上記の目的を達成するために、本発明の車載用再生装置においては、複数の走行環境情報を受信あるいは検出して取得する走行環境情報取得手段と、前記走行環境情報ごとに複数のキーワードを予め設定するキーワード設定手段と、前記走行環境情報取得手段で取得した走行環境情報ごとに対応する前記キーワードの出現回数を計測して出現回数の多いキーワード順に重み付けを行なうキーワード重み付け手段と、前記走行環境情報取得手段で取得した走行環境情報に対応する複数の音声および／または文字データを取得するデータ取得手段と、前記取得した音声および／または文字データに対して、再生の優先順位付けを行なう再生優先順位付け手段とを備え、前記データ取得手段で取得した音声および／または文字データ内の情報内容と前記キーワード重み付けに従って比較して、少なくとも１以上の前記キーワードが一致する音声および／または文字データを自動的に検索し、当該検索された音声および／または文字データから自動的に再生することを特徴としている。
【００１４】
さらに、本発明は、上記車載用再生装置において、以下の態様の発明をも提供するものである。
【００１５】
すなわち、前記走行環境情報取得手段により取得した複数の走行環境情報は、少なくとも、温度、標高、日付、天候、時間の各情報であり、前記走行環境情報取得手段は、前記走行環境情報の現在の状況を認識するための情報の一部を通信手段により得ることを特徴としている。
【００１６】
また、前記データ取得手段により取得した音声および／または文字データは、少なくとも、楽曲の説明、楽曲タイトル、アルバム名、アーティスト名、作曲者、作詞者、発売日の各データであり、前記音声および／または文字データの一部を通信手段により得ることを特徴としている。
【００１７】
また、前記音声および／または文字データは、そのデータ内に前記キーワードと比較対象となる情報が存在しない場合は、前記キーワードとの比較を行なわないように構成した
ことを特徴としている。
【００１８】
また、前記再生優先順位付け手段は、一度リストに入った前記音声および／または文字データと前記キーワードとの比較を行なわず、同じ楽曲をリストに追加しないように構成したことを特徴としている。
【００１９】
また、前記再生優先順位付け手段は、順番に再生優先順位の上位の前記音声および／または文字データから重み付けに従って前記キーワードを検索し、リスト化することを特徴としている。
【００２０】
さらに、上記の目的を達成するために、本発明の車載用再生方法においては、複数の走行環境情報を受信あるいは検出して取得する走行環境情報取得ステップと、前記走行環境情報ごとに複数のキーワードを予め設定するキーワード設定ステップと、前記取得した走行環境情報ごとに対応する前記キーワードの出現回数を計測して出現回数の多いキーワード順に重み付けを行なうキーワード重み付けステップと、前記取得した走行環境情報に対応する複数の音声および／または文字データを取得するデータ取得ステップと、前記取得した音声および／または文字データに対して、再生の優先順位付けを行なう再生優先順位付けステップとからなり、前記取得した音声および／または文字データ内の情報内容と前記キーワード重み付けに従って比較して、少なくとも１以上の前記キーワードが一致する音声および／または文字データを自動的に検索し、当該検索された音声および／または文字データから自動的に再生することを特徴としている。
【発明の効果】
【００２１】
本発明の車載用再生装置および車載用再生方法は、よけいな手間やユーザー操作の必要がなく、走行環境状況に応じた音声および／または文字データを選択してリスト化し、自動的に再生することができる。
【発明を実施するための最良の形態】
【００２２】
本発明の車載用再生装置および車載用再生方法の特長とするところは、走行環境情報を受信あるいは検出して取得した走行環境データごとに、予め複数のキーワードを設定する。そして、走行環境データに基づき、キーワードの出現回数を計測して、出現回数の多いキーワード順に重み付けを行なうことにある。
【００２３】
さらに、予め再生可能な各音声および／または文字データに対して、再生優先順位付けを行い、再生優先順位の上位の楽曲データから順番に、データ内の情報内容とキーワードとをキーワードの重み付けに従って比較し、少なくとも１以上のキーワードが一致するデータを自動的に検索し、この検索したデータから順番にリスト化するとともに、リストの上位にあるデータから順次、自動的に再生することにある。
【００２４】
以下、本発明の実施の形態について、図１〜図６に基づいて説明する。特に、本発明の実施の形態は、楽曲に関する音声および／または文字データについて説明する。
【００２５】
図１は、自動選曲の手順を示すフローチャート、図２〜図４は、走行環境データに対応するキーワードの一例を示す説明図、図５は、キーワードの重み付けの一例を示す説明図、図６は、楽曲データの優先順位付けの一例を示す説明図である。
【００２６】
この実施の形態に係る車載用再生装置は、複数の走行環境情報を受信あるいは検出して取得する走行環境情報取得手段と、走行環境情報ごとに複数のキーワードを予め設定するキーワード設定手段と、走行環境情報取得手段で取得した走行環境情報ごとに対応する前記キーワードの出現回数を計測して出現回数の多いキーワード順に重み付けを行なうキーワード重み付け手段と、走行環境情報取得手段で取得した走行環境情報に対応する複数の音声および／または文字データを取得するデータ取得手段と、取得した音声および／または文字データに対して、再生の優先順位付けを行なう再生優先順位付け手段とを備え、データ取得手段で取得した音声および／または文字データ内の情報内容とキーワード重み付けに従って比較して、少なくとも１以上のキーワードが一致する音声および／または文字データを自動的に検索し、再生優先付け手段に基づいて、当該検索された音声および／または文字データから自動的に再生する楽曲再生手段とを備えている。
【００２７】
また、この実施の形態における車載用再生装置は、自車に備えたセンサーから温度情報、高度情報などを取得するとともに、ナビゲーション装置と無線あるいはシリアルケーブルで接続されたインターネット接続可能な携帯電話やＶＩＣＳ（道路交通情報通信システム）からは、天候情報、日付情報、時刻情報など（以下、走行環境データという）をそれぞれ取得することができるように構成されている。
【００２８】
また、この実施の形態においては、図２〜図４に示すように、走行環境データとして、図２の（ａ）の温度情報と、図２の（ｂ）の標高情報と、図３の（ａ）の日付情報と、図３の（ｂ）の天候情報、および図４の時刻情報という５つの環境要素を採用している。そして、この採用した５つの環境要素は、より具体的な複数の環境要素にそれぞれ区分し、設定されている。
【００２９】
例えば、図２の（ａ）の温度情報の環境要素に対しては、１０℃以下、１０〜２５℃、および２５℃以上の３つの具体的な環境要素に区分し、また、図２の（ｂ）の標高情報という環境要素に対しては、０ｍ〜１００ｍ、１００ｍ〜４００ｍ、４００ｍ〜の３つの具体的な環境要素に区分し、また、図３の（ａ）の日付情報に対しては、１月〜２月、３月〜５月、６月〜８月、９月〜１１月、および１２月の５つの具体的な環境要素に区分し、さらに、図４の時刻情報に対しては、０：００時〜５：００時、５：００時〜７：００時・・・・２０：００時〜２４：００時の７つの具体的な環境要素に区分し、設定されている。
【００３０】
また、この区分し、設定された具体的な各環境要素には、その環境要素ごとに、複数のキーワードが対応付けられている。
【００３１】
例えば、図２の（ａ）の温度情報の１０℃以下という環境要素に対しては、寒、冷、ｃｏｌｄ、冬、ｗｉｎｔｅｒの５つのキーワードが対応付けされ、１０〜２５℃という環境要素に対しては、暖、温、ｗａｒｍ、秋、ａｕｔｕｍｎ、春、ｓｐｒｉｎｇの７つのキーワードが対応付けされ、２５℃以上という環境要素に対しては、暑、熱、ｈｏｔ、夏、ｓｕｍｍｅｒの５つのキーワードが対応付けされている。
【００３２】
また、図２の（ｂ）の標高情報の０〜１００ｍという環境要素に対しては、低、ｌｏｗ、街、ｃｉｔｙの４つのキーワードが対応付けされ、１００ｍ〜４００ｍという環境要素に対しては、丘、涼、原、ｇｒｅｅｎ、の４つのキーワードが対応付けられ、４００ｍ〜という環境要素に対しては、高、ｈｉｇｈ、山、ｍｏｕｎｔａｉｎ、緑、ｇｒｅｅｎの６つのキーワードが対応付けされている。
【００３３】
同様に、図３の（ａ）の日付情報、図３の（ｂ）の天候情報、および図４の時刻情報のそれぞれの具体的な環境情報に対しても、複数のキーワードが対応付けられている。また、このキーワードは、ユーザーが必要に応じて、任意に、変更・追加設定、あるいは、削除し、書き換えることができるように構成されている。
【００３４】
なお、図４に示す時刻情報の具体的な環境情報の「５：００時〜７：００時」および「１７：００時〜２０：００時」に対応付けたキーワードの「薄明」とは、日の出前と日没後の薄明かりの状態を表す単語である。
【００３５】
さらに、この実施の形態の車載用再生装置は、再生可能な楽曲に付随したデータ、すなわち、楽曲タイトル、アルバム名、アーティスト名、作詞者、作曲者、楽曲の説明、発売日など（以下、楽曲データという）を予め取得するように構成されている。
【００３６】
この楽曲データの取得は、ナビゲーション装置に予め搭載されている楽曲データベースや携帯電話等を用いて接続したインターネット経由のサーバーから取得を行なうようにしている。この取得した楽曲データは、ユーザーによって、任意に書き替え可能に構成されている。
【００３７】
次に、図１のフローチャートに基づき、自動選曲動作の処理手順について説明する。
【００３８】
自動選曲動作を開始すると、自車の走行環境情報を受信あるいは検出して得た複数の走行環境データの情報内容と、図２〜図４に示す複数のキーワードとを比較して、キーワードと一致する箇所を検索し、走行環境データ中に含まれる複数のキーワードを取得（ステップＳ１）する。
【００３９】
ステップＳ２では、ステップＳ１で取得した走行環境データ中に含まれるキーワードの出現回数をそれぞれ計測して、例えば、図５の（ｂ）に示すように、出現回数の多いキーワード順にキーワードの重み付けを行なう。
【００４０】
この図５の（ｂ）に例示したキーワードの重み付けの場合は、図５の（ａ）に示す温度情報、標高情報、日付情報、天候情報、時刻情報にそれぞれ対応付けした複数のキーワードの内、５つのキーワード寒、冷、ｃｏｌｄ、冬、ｗｉｎｔｅｒは、比較した走行環境データの情報の中に、それぞれ３回出現し、重み付けの上位に設定されている。次いで、２つのキーワード白、ｗｈｉｔｅは、比較した走行環境データの情報の中に、それぞれ２回出現し、重み付けの中位に設定されている。さらに、６つのキーワード低、ｌｏｗ、街、ｃｉｔｙ、クリスマス、雪は、比較した走行環境データの情報の中に、それぞれ１回出現し、重み付けの下位に設定されている。
【００４１】
一方、ナビゲーション装置に予め搭載されている楽曲データベースや携帯電話等を用いて接続したインターネット経由のサーバーから取得した楽曲データは、図６に示すように、楽曲を選択再生する際の検索優先順位をユーザーが予め設定する。
【００４２】
この実施の形態においては、検索優先順位の１番目として、楽曲データの内の「楽曲の説明」を設定し、また、検索優先順位の２番目として「楽曲タイトル」を設定し、さらに、検索優先順位の３番目として、「アルバム名」を設定している。以下、「アーティスト名」、「作曲者」、「作詞者」、「発売日」の順に優先度合が設定されている（ステップＳ３）。
【００４３】
なお、上述した「楽曲の説明」とは、楽曲の情報の中に、楽曲についての説明を書き込める欄があり、その部分に楽曲についての説明をユーザーが入力することができる。そこから、単語をキーワードとして抽出する。
【００４４】
次に、検索優先順位の１番目に設定された楽曲データ、すなわち、「楽曲の説明」の情報内容から、キーワードの重み付けに基づいて、少なくとも１以上のキーワードが一致する楽曲を自動的に検索して抽出（ステップＳ４）し、この「楽曲の説明」の情報内容に対応した楽曲をリスト化（ステップＳ５）する。
【００４５】
このリスト化する際に、ステップＳ６で、リストが一杯になったかどうかを確認し、リストが一杯になった場合は、ＹＥＳで、このリストが一杯になったことが確認できた時点で、自動選曲動作の処理を終了する。
【００４６】
一方、ステップＳ６において、リストが一杯になっていなかった場合は、このステップＳ６は、ＮＯであり、次のステップＳ７へ進む。ステップＳ７では、「全ての楽曲データについて検索したか」を確認する。この時点では、楽曲データの内、検索優先順位が１番目の「楽曲の説明」のみを検索しただけであるから、ステップＳ７は、ＮＯであり、ステップＳ８へ移行し、検索優先順位を次の順位に変更、すなわち、２番目の「楽曲タイトル」に変更し、ステップＳ３へ戻る。
【００４７】
そして、検索優先順位の２番目の楽曲データの「楽曲タイトル」の情報内容から、キーワードの重み付けに基づいて、少なくとも１以上のキーワードが一致する楽曲を自動的に検索して抽出（ステップＳ４）し、この楽曲データの「楽曲タイトル」に対応した楽曲をリストへ追加（ステップＳ５）する。このリストへ楽曲を追加する際に、ステップＳ６で、リストが一杯になったかどうかを確認し、リストが一杯になった場合は、ＹＥＳで、このリストが一杯になったことが確認できた時点で、自動選曲動作を終了する。
【００４８】
一方、ステップＳ６において、リストが一杯になっていなかった場合は、このステップＳ６は、ＮＯであり、次のステップＳ７へ進む。ステップＳ７では、「全ての楽曲データについて検索したか」を確認する。この時点では、楽曲データの内、検索優先順位の１番目の「楽曲の説明」と、検索優先順位の２番目の「楽曲タイトル」を検索しただけであるから、ステップＳ７は、ＮＯであり、ステップＳ８へ移行し、検索優先順位が３番目の「アルバム名」に変更し、ステップＳ３へ戻る。
【００４９】
そして、検索優先順位の３番目の楽曲データの「アルバム名」の情報内容から、キーワードの重み付けに基づいて、少なくとも１以上のキーワードが一致する楽曲を自動的に検索して抽出（ステップＳ４）し、この楽曲データの「アルバム名」に対応した楽曲をリストへ追加（ステップＳ５）する。このリストへ楽曲を追加する際に、ステップＳ６で、リストが一杯になったかどうかを確認し、リストが一杯になった場合は、ＹＥＳで、このリストが一杯になった時点で、自動選曲動作を終了する。
【００５０】
一方、ステップＳ６において、リストが一杯になっていなかった場合は、このステップＳ６は、ＮＯであり、次のステップＳ７へ進む。ステップＳ７では、「全ての楽曲データについて検索したか」を確認する。この時点では、楽曲データの内、検索優先順位の１番目の「楽曲の説明」から検索優先順位の３番目の「アルバム名」までを検索しただけであるから、ステップＳ７は、ＮＯであり、ステップＳ８へ移行し、検索優先順位が４番目の「アーティスト名」に変更し、ステップＳ３へ戻る。
【００５１】
そして、検索優先順位の４番目の楽曲データの「アーティスト名」の情報内容から、キーワードの重み付けに基づいて、少なくとも１以上のキーワードが一致する楽曲を自動的に検索して抽出（ステップＳ４）し、この楽曲データの「アーティスト名」に対応した楽曲をリストへ追加（ステップＳ５）する。このリストへ楽曲を追加する際に、ステップＳ６で、リストが一杯になったかどうかを確認し、リストが一杯になった場合は、ＹＥＳで、このリストが一杯になった時点で、自動選曲動作を終了する。
【００５２】
一方、ステップＳ６において、リストが一杯になっていなかった場合は、このステップＳ６は、ＮＯであり、次のステップＳ７へ進む。このステップＳ７では、「全ての楽曲データについて検索したか」を確認する。この時点では、楽曲データの内、検索優先順位の１番目の「楽曲の説明」から検索優先順位の４番目の「アーティスト名」までを検索しただけであるから、ステップＳ７は、ＮＯであり、ステップＳ８へ移行し、検索優先順位が５番目の「作曲者」に変更し、ステップＳ３へ戻る。
【００５３】
そして、検索優先順位５番目の楽曲データの「作曲者」の情報内容から、キーワードの重み付けに基づいて、少なくとも１以上のキーワードが一致する楽曲を自動的に検索して抽出（ステップＳ４）し、この楽曲データの「作曲者」に対応した楽曲をリストへ追加（ステップＳ５）する。このリストへ楽曲を追加する際に、ステップＳ６で、リストが一杯になったかどうかを確認し、リストが一杯になった場合は、ＹＥＳで、このリストが一杯になった時点で、自動選曲動作を終了する。
【００５４】
一方、ステップＳ６において、リストが一杯になっていなかった場合は、このステップＳ６は、ＮＯであり、次のステップＳ７へ進む。このステップＳ７では、「全ての楽曲データについて検索したか」を確認する。この時点では、楽曲データの内、検索優先順位の１番目の「楽曲の説明」から検索優先順位の５番目の「作曲者」までを検索しただけであるから、ステップＳ７は、ＮＯであり、ステップＳ８へ移行し、検索優先順位が６番目の「作詞者」に変更し、ステップＳ３へ戻る。
【００５５】
そして、検索優先順位６番目の楽曲データの「作詞者」の情報内容から、キーワードの重み付けに基づいて、少なくとも１以上のキーワードが一致する楽曲を自動的に検索して抽出（ステップＳ４）し、この楽曲データの「作詞者」に対応した楽曲をリストへ追加（ステップＳ５）する。このリストへ楽曲を追加する際に、ステップＳ６で、リストが一杯になったかどうかを確認し、リストが一杯になった場合は、ＹＥＳで、このリストが一杯になった時点で、自動選曲動作を終了する。
【００５６】
一方、ステップＳ６において、リストが一杯になっていなかった場合は、このステップＳ６は、ＮＯであり、次のステップＳ７へ進む。このステップＳ７では、「全ての楽曲データについて検索したか」を確認する。この時点では、楽曲データの内、検索優先順位の１番目の「楽曲の説明」から検索優先順位の６番目の「作詞者」までを検索しただけであるから、ステップＳ７は、ＮＯであり、ステップＳ８へ移行し、検索優先順位が７番目の「発売日」に変更し、ステップＳ３へ戻る。
【００５７】
そして、検索優先順位７番目の楽曲データの「発売日」と現在の月とを比較して、「発売日」と現在の月が一致する楽曲を自動的に検索して抽出（ステップＳ４）し、この楽曲データの「発売日」に対応した楽曲をリストへ追加（ステップＳ５）する。このリストへ楽曲を追加する際に、ステップＳ６で、リストが一杯になったかどうかを確認し、リストが一杯になった場合は、ＹＥＳで、このリストが一杯になった時点で、自動選曲動作を終了する。
【００５８】
また、検索優先順位１番目から７番目までキーワードに対応する楽曲の検索を完了した時点で、リストが一杯になっていなかった場合、ステップＳ６は、ＮＯであり、次のステップＳ７へ進む。ステップＳ７の「全ての楽曲データについて検索したか」は、ＹＥＳで、次のステップＳ９の「リストに空きがあるか」の確認は、ＹＥＳとなる。このステップＳ９の「リストに空きがあるか」がＹＥＳの場合には、擬似乱数発生器（図示しない）等を用いて、ランダムに選曲を行い、リストの空きを埋める（ステップＳ１０）。
【００５９】
上記のようにして、リスト化された楽曲は、リストの上位にある楽曲から順番に自動的に再生を行なう。
【００６０】
なお、楽曲データ内にキーワードとの比較対象となる情報が存在しない場合は、キーワードとの比較は行なわないように構成されている。また、上述した一連の自動選曲動作に基づき、一度リストに入った楽曲とは、キーワード比較を行なわず、同じ楽曲をリストには加えないように構成されている。
【００６１】
以上説明したように、本実施の形態によれば、検索対象に手間をかけることなく、自動的に取得できる楽曲データを用いるので、従来のように、楽曲にキーワードを設定するために走行環境データを受信しながら楽曲を再生する、あるいは、ユーザーによる手動操作ですべての楽曲にキーワードを設定する必要がなくなり、よけいな手間をかけることなく自車および自車の周辺の環境状況に応じて、再生する楽曲が自動的に検索され、この検索で抽出された楽曲を自動的に再生することが可能となる。
【００６２】
また、走行環境情報ごとに複数のキーワードを設定するとともに、この走行環境データに基づき、キーワードの出現回数を計測して、出現回数の多いキーワード順に重み付けを行ない、かつ、再生可能な各楽曲に付随した複数の楽曲データを取得するとともに、この取得した楽曲データに対して、検索優先順位付けを行い、検索優先順位の上位の楽曲データから順番に、楽曲データ内の情報内容とキーワードとをキーワードの重み付けに従って比較し、少なくとも１以上のキーワードが一致する楽曲を自動的に検索し、検索した楽曲から順にリスト化することができるため、再生する楽曲を自車の走行環境状況に応じて、多角的に分析し、再生する楽曲の優先順位を付けることができる。
【００６３】
従って、上記特許文献１の問題点として、図７に基づいて述べた「走行環境データから抽出したキーワードＡと、選曲対象のアーティスト名Ａ、あるいは、楽曲タイトルＡなどが一致した場合に、どのように優先順位を付けるか、などが明確に開示されていないため、選曲情報が競合し、望ましい選曲結果を得ることができない」という点については、本発明の実施の形態において、具体的に提示した選曲リストの作成方法により、選曲情報の競合は発生せず、楽曲データからの自動選曲が可能となった。
【００６４】
さらに、この実施の形態によれば、一つの走行環境情報に対して、複数のキーワードを対応付けすることによって、該当楽曲をより多くリストに載せることができ、また、作成したリストを候補として、ユーザーがリストから楽曲を選択するという使い方も可能となるため、走行環境状況に応じた楽曲を選曲することができる。
【００６５】
また、楽曲データやキーワードをユーザーが設定することができるため、走行環境状況に合致するような楽曲を選択するだけではなく、ユーザーが好みの選曲を行なうことも可能である。例えば、複数の走行環境データに対して、アーティスト名をキーワードとして設定し、楽曲データ内のアーティスト名の優先順位を上げることで、リスト内に、好みのアーティストの楽曲を載せやすくすることもできる。
【００６６】
また、上述した本発明の実施の形態では、楽曲データについて説明したが、ＣＤやＤＶＤの静止画像や動画画像データの情報内容にも楽曲データと同様に、タイトル名やアーティスト名や説明などの情報を入れることも可能であるため、本発明を適用させることができる。
【図面の簡単な説明】
【００６７】
【図１】本発明の車載用再生装置における自動選曲の手順を示すフローチャートである。
【図２】本発明における走行環境データに対応するキーワードの一例を示す説明図である。
【図３】本発明における走行環境データに対応するキーワードの一例を示す説明図である。
【図４】本発明における走行環境データに対応するキーワードの一例を示す説明図である。
【図５】本発明におけるキーワードの重み付けの一例を示す説明図である。
【図６】本発明における楽曲データの優先順位付けの一例を示す説明図である。
【図７】従来の車載用再生装置の問題点を示す説明図である。
【図１】
2009266302.tif 000003
【図２】
2009266302.tif 000004
【図３】
2009266302.tif 000005
【図４】
2009266302.tif 000006
【図５】
2009266302.tif 000007
【図６】
2009266302.tif 000008
【図７】
2009266302.tif 000009